(57)【要約】【課題】接続具の組み立てに際しての作業性を向上させて簡単な作業により接続具の抜け止めが確実に行えると共に、使用される接続具の形態に影響されることなく、簡単な作業により接続具の取り付けが可能となる構成を備えた回転連結装置を提供する。【解決手段】接続胴１０に対して挿嵌される接続金具２０および鎖３０の連結に際し、接続金具２０には接続胴１０内に挿嵌される駒部２１と小径の軸２２が備えられ、小径の軸２２には半円筒状のスリーブ２３ａ、２３ｂを嵌め込むと共に半円筒状のスリーブ２３ａ、２３ａに形成された凹溝２３ａ１、２３ｂ１に係止用ピン５０を接続胴１０に形成されているスリット１０ａ、１０ｂに向け挿通し、係止用ピン５０の先端を折り曲げることで小径の軸２２を囲繞した状態として抜け止めし、鎖３０は接続胴側端部に位置する鎖の輪にピン３１を挿通し、ピン３１を回転リング３２に挿入した上で回転リング３２を接続胴１０の内部に装填することで抜け止めを行う。【選択図】図２
2011220353.tif 000002
【特許請求の範囲】
【請求項１】
接続胴の一端に接続金具を接続金具受け部により受け、前記接続胴の他端の鎖を鎖受け部により受けて、前記接続金具と鎖が相互に同軸に回転可能に連結する回転連結装置であって、
前記接続金具は、前記接続胴の内径内に遊嵌する駒部と、前記駒部より小径の軸と、前記接続金具受け部の外部に現れる連携部とを備え、
前記接続金具受け部は、前記接続胴の一端に設けられた対向する対のスリットと、前記小径の軸に内周面で対応し外周面に溝を有する対の半円筒のスリーブと、前記半円筒のスリーブを前記小径の軸の外周に対応させた状態で前記溝に係合して前記対のスリットに係止する係止用のピンとを備え、
前記鎖受け部は、前記接続胴の他端の空洞部、前記空洞部に連接された鎖孔と、前記鎖の輪に挿入されたピンを支持する前記空洞部に遊嵌する回転リングと
を備える回転連結装置。
【請求項２】
接続胴の両端にそれぞれ接続金具を接続金具受け部により相互に同軸に回転可能に連結する回転連結装置であって、
前記各接続金具は、それぞれ前記接続胴の内径内に遊嵌する駒部と、前記駒部より小径の軸と、前記各接続金具受け部の外部に現れる連携部とを備え、
前記各接続金具受け部は、それぞれ前記接続胴の両端部に設けられた対向する対のスリットと、
前記各小径の軸にそれぞれ内周面で対応し外周面に溝を有する対の半円筒のスリーブと、
前記各対の半円筒のスリーブを前記各小径の軸の外周に対応させた状態で前記各溝に係合して前記各対のスリットにそれぞれ係止する係止用のピンと
を備える回転連結装置。
【発明の詳細な説明】
【技術分野】
【０００１】
本発明は、キーホルダや作業工具等を使用者のベルトなどに接続するために用いられる装置である回転連結装置に関し、さらに詳しくは、接続胴の両端に設けられた接続金具や鎖等の部材を互いに回転できるようにした回転連結装置に関する。
【背景技術】
【０００２】
スイベルジョイント等の回転連結装置には、フックなどの接続具とその接続具を支持する接続支持体とを相対的に回転可能に連結し、両者のうち、一方が回転してもその回転が他方に伝達されないようにした構成を用いることがよく知られている。
接続具を回転可能に支持する構成としては、接続具に有するロッド部に環状凹部を設け、接続具が挿入される接続支持体内の挿入穴に前記環状凹部にて転動可能な球体を配置することにより、接続具の回転および軸方向での抜け止めを行う構成がある（例えば、特許文献１）。
【０００３】
また、回転支持のための別例としては、上述した接続具に有するロッド部に対して外部から略Ｃリング形の板状部材を差し込み、リング部材により軸方向への移動を制止する構成が提案されている（例えば、特許文献２）。
【先行技術文献】
【特許文献】
【０００４】
【特許文献１】実開昭６２−１４６０３６号公報
【特許文献２】特許第３８１５９７４号公報
【発明の概要】
【発明が解決しようとする課題】
【０００５】
特許文献１に開示されている接続具の抜け止め構造においては、接続具の支持側となる接続支持体内に挿入される球体を外部からねじ込まれるネジにより脱落防止を行う作業が必要となる。このため、作業工数の増加やネジ止めを忘れた場合の球体脱落により接続具の抜け止めが確実に行えなくなる虞がある。
【０００６】
一方、特許文献２に開示されている接続具の抜け止め構造においては、リング部材をその習性に抗して拡径した状態を維持しながら挿嵌する作業が必要となる。このため、作業の労力負担が増加し、抜け止めを行うための構成が簡単に行いがたいという不具合がある。
また特許文献２では、フック部を筒形部で金属ワイヤを芯としたコードと連結する構成が提案されており、金属ワイヤをアルミや黄銅のスリーブからなる止め金具に抜き通し、プレスで圧着している。
接続具同士を鎖で接続したいという要請があるが、前述の圧着法ではスリーブ内の鎖が変形したり、破断して強度が極端に低下することがある。また、つぶれた形状が偏平だとなめらかに回転させることは難しい。鎖を固定し、しかも回転させようとするには、ナス環や回転環などにシャックルなどを用いて鎖とナス環を接続する場合が一般的だが、なめらかに回転しないため、鎖がシャックルに絡まったり、よじれたりすることがある。
したがって、これらの構成を採用することはできず、確実で手頃なより戻し機構についての提案も見当たらない。
【０００７】
本発明は、上記従来の回転連結装置における諸問題に鑑み、接続具の組み立てに際しての作業性を向上させて簡単な作業により接続具の抜け止めが確実に行えると共に、使用される接続具の形態に影響されることなく、簡単な作業により接続具の取り付けが可能となる構成を備えた回転連結装置を提供することを目的とする。
【課題を解決するための手段】
【０００８】
上述した課題を達成するため、本発明にあっては、接続胴（１０）の一端に接続金具（２０) を接続金具受け部（１１）により受け、前記接続胴（１０）の他端の鎖（３０）を鎖受け部（１２）により受けて、前記接続金具（２０) と鎖（３０）が相互に同軸に回転可能に連結する回転連結装置（１００）であって、
前記接続金具（２０）は、前記接続胴（１０）の内径内に遊嵌する駒部（２１）と、前記駒部より小径の軸（２２）と、前記接続金具受け部（１１）の外部に現れる連携部（２３）とを備え、
前記接続金具受け部（１１）は、前記接続胴（１０）の一端に設けられた対向する対のスリット（１０ａ、１０ｂ）と、前記小径の軸（２２）に内周面で対応し外周面に溝（２３ａ１、２３ｂ１）を有する対の半円筒のスリーブ（２３ａ、２３ｂ）と、前記半円筒のスリーブ（２３ａ、２３ｂ）を前記小径の軸（２２）の外周に対応させた状態で前記溝に係合して対のスリット（１０ａ、１０ｂ）に係止する係止用のピン（５０）とを備え、
前記鎖受け部（１２）は、前記接続胴（１０）の他端の空洞部（１４）、前記空洞部に連接された鎖孔（１３）と、前記鎖（３０）の輪に挿入されたピン（３１）を支持する前記空洞部に遊嵌する回転リング（３２）とを備えたものである。
【０００９】
また本発明においては、接続胴（６０）の両端にそれぞれ接続金具（２０Ａ、２０Ｂ）を接続金具受け部（６０Ａ、６０Ｂ）により相互に同軸に回転可能に連結する回転連結装置（１００’）であって、
前記各接続金具（２０Ａ、２０Ｂ）は、それぞれ前記接続胴（６０）の内径内に遊嵌する駒部（２１Ａ、２１Ｂ）と、前記駒部より小径の軸（２２Ａ、２２Ｂ）と、前記各接続金具受け部（６０Ａ、６０Ｂ）の外部に現れる連携部（２３Ａ、２３Ｂ）とを備えたものである。
【００１０】
前記各接続金具受け部（６０Ａ、６０Ｂ）は、それぞれ前記接続胴（６０）の両端部に設けられた対向する対のスリット（６１Ａａ、６１Ａｂ）（６１Ｂａ、６１Ｂｂ）と、
前記各小径の軸（２２Ａ、２２Ｂ）にそれぞれ内周面で対応し外周面に溝（２３Ａａ１、２３Ａｂ１）（２３Ｂａ１、２３Ｂｂ１）を有する対の半円筒のスリーブ（２３Ａａ、２３Ａｂ）（２３Ｂａ、２３Ｂｂ）と、
前記各対の半円筒のスリーブ（２３Ａａ、２３Ａｂ）（２３Ｂａ、２３Ｂｂ）を前記各小径の軸（２２Ａ，２２Ｂ）の外周に対応させた状態で前記各溝（２３Ａａ１、２３Ａｂ１）（２３Ｂａ１、２３Ｂｂ１）に係合して前記各対のスリット（６１Ａａ、６１Ａｂ）（６１Ｂａ、６１Ｂｂ）にそれぞれ係止する係止用のピン（５０Ａ、５０Ｂ）とを備えたものである。
【００１１】
前記半円筒のスリーブ（２３ａ、２３ｂ）（２３Ａａ、２３Ａｂ）（２３Ｂａ、２３Ｂｂ）は、外周面と前記接続胴（１０）（６０）の内周面との間に隙間が形成できる外径を有し、該外周面の一部に前記スリット（１０ａ、１０ｂ）（６１Ａａ、６１Ａｂ）（６１Ｂａ、６１Ｂｂ）に平行する凹溝（２３ａ１、２３ｂ１）（２３Ａａ１、２３Ａｂ１）（２３Ｂａ１、２３Ｂｂ１）が形成されて前記係止用のピン（５０）（５０Ａ、５０Ｂ）の挿通部とされているものである。
【００１２】
前記半円筒のスリーブ（２３ａ、２３ｂ）（２３Ａａ、２３Ａｂ）（２３Ｂａ、２３Ｂｂ）の外周面に形成されている凹溝（２３ａ１、２３ｂ１）（２３Ａａ１、２３Ａｂ１）（２３Ｂａ１、２３Ｂｂ１）は、挿通された前記係止用のピン（５０）（５０Ａ、５０Ｂ）が前記スリット（１０ａ、１０ｂ）（６１Ａａ、６１Ａｂ）（６１Ｂａ、６１Ｂｂ）内に入り込むと、前記係止用のピン（５０）（５０Ａ、５０Ｂ）の外周部が前記接続胴（１０）（６０）の外周面と面一となる深さに設定されているものである。
【００１３】
前記スリット（１０ａ、１０ｂ）（６１Ａａ、６１Ａｂ）（６１Ｂａ、６１Ｂｂ）は、前記接続胴（１０）（６０）の周方向に沿った長さの半周未満とされ、挿入された前記係止用のピン（５０）（５０Ａ、５０Ｂ）が嵌合して前記接続金具（２０）（２０Ａ、２０Ｂ）の前記接続胴（１０）（６０）の軸方向への動きを規制する部分として用いられるものである。
【００１４】
前記係止用のピン（５０）（５０Ａ、５０Ｂ）が、平面視形状Ｕ字状をなし、開放端同士をこれら開放端同士が近づく向きに折り曲げあるいは押し潰すことにより前記スリーブ（２３ａ、２３ｂ）（２３Ａａ、２３Ａｂ）（２３Ｂａ、２３Ｂｂ）の周囲を囲繞した状態で保持されるものである。
【発明の効果】
【００１５】
本発明によれば、接続金具の抜け止めのための構成として、半円筒状のスリーブに形成されている凹溝に挿入されて接続胴側のスリットに入り込む係止用のピンを備えているので、単なる挿入のみの作業で抜け止めのための構成を得ることができる。これにより、接続金具の回転部分への負荷を作用させることが少ないので、負荷が作用した場合の変形などが原因で円滑な回転ができなくなるのを防止し、円滑な回転を保証しながら組み付け作業も簡単にすることができる抜け止め構造を得ることができる。
また、本発明によれば、接続金具と鎖の連結において、回転リングの孔に鎖の一端の鎖環内を抜き貫いたピンを通すだけで簡単に鎖が固定でき、鎖および回転リングは加工による変形もない。よって、鎖を固定された回転リングは接続胴の他端の空洞部内でなめらかに回転することができる。
【図面の簡単な説明】
【００１６】
【図１】本発明による回転連結装置の第１実施例の全体構成を示す図である。
【図２】図１に示した回転連結装置の構成部品の詳細を説明するための分解図である。
【図３】本発明による回転連結装置の第２実施例の全体構成を示す図である。
【図４】図３に示した回転連結装置の構成部品の詳細を説明するための分解図である。
【発明を実施するための形態】
【００１７】
以下、図面により本発明を実施するための形態を実施例として説明する。
図１、２は、本発明による回転連結装置の第１実施例を示す図であり、図１（Ａ）は外観図、図１（Ｂ）は接続胴１０を断面で表示した図、図１（Ｃ）は鎖受け部の構成部材を示す図である。そして、図２（Ａ）は接続胴１０とスリーブの一方を断面で表す分解図、図２（Ｂ）は図２（Ａ）における接続胴１０の正面図、図２（Ｃ）は図２（Ａ）における（Ｃ）で示す方向の要部矢視図、図２（Ｄ）は図２（Ａ）におけるスリーブと係止用のピンとの関係を示す図、図２（Ｅ）は鎖に用いる回転リングの構成を示す図、図２（Ｆ）は鎖の組み立て状態を示す図である。
【００１８】
図１において、回転連結装置１００は、接続胴１０に組み込まれる接続金具受け部１１と鎖受け部１２とを備えている。
接続金具受け部１１は、接続胴１０に設けられたスリット１０ａ、１０ｂと、半円筒状のスリーブ２３ａ、２３ｂと、ピン５０からなる。
鎖受け部１２は、接続胴１０の他端の空洞部１４と、空洞部１４に連接された鎖孔１３と、回転リング３２からなる。
接続胴１０は、真鍮製あるいは樹脂製からなる砲弾型形状を有し、内部が空洞とされた部材であり、一端側が開口され、他端側に位置する砲弾形状先頭部中心には、鎖が外部に延長できる鎖孔１３が穿たれている。
他端側の内部は、図２に示すように、鎖受け部１２に用いられる回転リング３２を定置するための空洞部１４と段部１０ｃが形成されている。
接続胴１０の周面には、一端側近傍において、周方向で断面中心を境にして対向する位置に半周未満の周方向長さを設定された対のスリット１０ａ、１０ｂが設けられている。
【００１９】
スリット１０ａ、１０ｂの周方向の長さは、上述したように半周未満とされていることにより、後述するが、接続金具２０に装着される係止用のピン５０が嵌合した際に、接続金具２０が接続胴１０の軸方向および周方向に動くのを規制することができるようになっている。
【００２０】
接続金具受け部１１は、接続金具２０を回転可能に支持している。
接続金具２０は、接続胴１０の内径内に遊嵌可能な駒部２１と、駒部２１よりも小径の軸２２と、接続金具受け部１１の外部に露出する連携部２３とを備えている。
【００２１】
接続金具２０は、接続胴１０の内部に駒部２１を遊嵌させて連携部２３を回転させることができる部材であり、接続胴１０からの抜け止めのために用いられる部材として、小径の軸２２の周方向に沿って２分されて対部材で構成されている半円筒状のスリーブ２３ａ、２３ｂと係止用のピン５０とが用いられる。
【００２２】
半円筒状のスリーブ２３ａ、２３ｂは、内径が小径の軸２２の外径に対応させてあり、分割面同士を合わせた状態で小径の軸２２の外周面にあてがうことで小径の軸２２に組み付けられる。
半円筒状のスリーブ２３ａ、２３ｂの外周面には、接続胴１０側に形成されているスリット１０ａ、１０ｂと対向する位置に、スリット１０ａ、１０ｂの貫通（周壁の厚さ方向）方向に平行する凹溝２３ａ１、２３ｂ１がそれぞれ形成されている。
【００２３】
凹溝２３ａ１、２３ｂ１は、スリット１０ａ、１０ｂの貫通方向と平行して形成されていることにより、後述する抜け止め部材に相当する係止用のピン５０を挿入する部分として用いられる。
凹溝２３ａ１、２３ｂ１の深さは、後述する係止用のピン５０の先端がスリット１０ａ、１０ｂ内に入り込んだ際に、挿入方向上流側の外周面が接続胴１０の外周面と面一となる深さに設定されている。これにより、係止用のピン５０が差し込まれた際に、ピン５０の挿入方向上流側の外周面が接続胴１０の外周面よりも突出して見栄えが悪くなるのを回避するようになっている。
【００２４】
図２において係止用のピン５０は、平面視形状がほぼＵ字状をなし、凹溝２３ａ１、２３ｂ１の形成方向に挿入されると、図２（Ｄ）において二点鎖線の矢印で示すように、その先端部が折り曲げあるいは押し潰されることで接続金具２０の小径の軸部２２の外周面を囲繞する状態に成形される。
【００２５】
一方、鎖受け部１２は、回転リング３２と後述のように一体化された鎖３０を回転可能に支持しており、鎖３０は、接続胴１０の他端の空洞部１４内に装填される。
つまり、接続胴１０の形状である砲弾形状の頭部側に相当する他端の空洞部１４内には径方向に平行する段部１０ｃが設けられており、段部１０ｃには、回転リング３２が定置されるようになっている。
【００２６】
回転リング３２は、断面中心を挟んで対向する位置に小孔３２ａが形成されており、小孔３２ａには、鎖３０の接続胴１０側端部に位置する鎖の輪に挿通されるピン３１の軸方向両端が挿通されるようになっている。
これにより、鎖３０は、ピン３１により端部に位置する鎖の輪が回転リング３２と一体化されて回転リング３２から抜けるのを防止され、回転リング３２が接続胴１０の開口端側から挿入されて段部１０ｃに定置されると、鎖孔１３から外部に向けて延長される。
【００２７】
本実施例は以上のような構成であるから、その組み立て手順を説明すると次の通りである。
回転連結装置１００は、接続胴１０に接続金具２０および鎖３０を装填することで組み立てられる。
組み立てに際しては、接続金具２０よりも先に鎖３０が接続胴１０内に装填される。
【００２８】
鎖３０は、上述したようにピン３１を介して回転リング３２と一体化されており、この状態で接続胴１０の開口端側から鎖３０を接続胴１０の内部に入れ、回転リング３２が接続胴１０の段部１０ｃに定置されると鎖３０の組み込みが完了する。回転リング３２が接続胴１０の段部１０ｃに定置されることにより、鎖３０は抜け止めされた状態を維持される。
【００２９】
一方、接続金具２０を接続胴１０に組み込む際には、半円筒状のスリーブ２３ａ、２３ｂを小径の軸２２に嵌め込んだ状態で接続胴１０の内部に駒部２１を挿嵌する。小径の軸２２に嵌め込まれている半円筒状のスリーブ２３ａ、２３ｂの凹溝２３ａ１、２３ｂ１と接続胴１０側のスリット１０ａ、１０ｂの位置を合わせた状態で係止用のピン５０を外部からスリットの一方に向けて挿入する。この状態は図２（Ｄ）に示す状態である。
【００３０】
スリットの一方から挿入された係止用のピン５０はスリットの他方に先端を突出させると、図２（Ｄ）において二点鎖線で示す矢印のように、その先端を折り曲げあるいは押し潰すことで先端が接続胴１０のスリットから外部に突出することなく小径の軸２２を囲繞する状態で回転可能に格納される。係止用のピン５０は、スリット内に収められることにより、その側端がスリットの側部内面に衝止され、また、周方向端縁がスリットの長手方向両端内面に衝止されるので、接続金具２０が接続胴１０の軸方向および周方向での移動を規制されることになる。
【００３１】
以上のように、本実施例においては、接続胴１０内に装填される接続金具２０および鎖３０が、挿入に特別な外力を要しない係止用のピン５０およびピン３１を有する回転リング３２によって接続胴１０に組み付けられると、接続胴１０の軸方向に移動して抜けてしまうのをそれぞれ防止することができる。
【００３２】
次に本発明による回転連結装置の第２実施例について説明する。
図３、４は第２実施例による回転連結装置を示す図であり、そのうちで、図３（Ａ）は外観図、図３（Ｂ）は接続胴（便宜上、符号６０を用いる）を断面で表した図であり、そして、図４（Ａ）は接続胴と一方のスリーブ２３Ｂａを断面で表す分解図、図４（Ｂ）は図４（Ａ）における接続胴６０の正面図、図４（Ｃ）は図４（Ａ）における連携具の一つ２０Ａを対象とした詳細図で、一方のスリーブ２３Ａａを断面で示した図であり、図４（Ｄ）は図４（Ａ）において（Ｄ）で示す方向の要部矢視図、図４（Ｅ）は図４（Ａ）におけるスリーブと係止用のピンとの関係を示す図である。
【００３３】
図３において、図１に示した構成と異なる点は、鎖に代えてナス環２３Ａを連携部として組み付ける点にある。
本実施例による回転連結装置１００’は、接続胴６０に組み込まれる接続金具受け部６０Ａと６０Ｂを備えている。
接続金具受け部６０Ａと６０Ｂは、それぞれ、接続胴６０の両端部に設けられた対向する対のスリット（６１Ａａ、６１Ａｂ）、（６１Ｂａ、６１Ｂｂ）と、半円筒状のスリーブ（２３Ａａ、２３Ａｂ）、（２３Ｂａ、２３Ｂｂ）と、ピン５０Ａ、５０Ｂからなる。
接続金具受け部６０Ａ、６０Ｂは、接続金具２０Ａおよび２０Ｂを回転可能に支持している。
本実施例に用いられる接続胴６０は、円筒形状をなし、両端部近傍には、図１に示した場合と同様な形態からなるスリット６１Ａａ、６１Ａｂ、６１Ｂａ、６１Ｂｂが設けられている。
接続胴６０の一端側には、図１に示した場合と同様な構成の連携具２３Ｂを備えた接続金具（便宜上、符号２０Ｂで示す）が装備され、接続胴６０の他端側にはナス環を連携具２３Ａとして用いる接続金具２０Ａが装備されている。
つまり、接続金具２０Ａには、図１、２において説明した接続金具２０を対象とした構成と同様に、接続胴６０内に挿嵌される駒部２１Ａとこれよりも小径の軸２２Ａが設けられている。
なお、図３、４において、接続金具２０Ｂを対象とした構成は、図１、２に示した接続金具２０の構成と同様であるので、符号のみを異ならせて表示することを前置きしておく。
【００３４】
接続金具２０Ａの接続胴６０からの抜け止めのために用いられる部材として、図４に示すように、小径の軸２２Ａの周方向に沿って２分された対部材としての半円筒状のスリーブ２３Ａａ、２３Ａｂと係止用のピン５０Ａとが用いられる。
半円筒状のスリーブ２３Ａａ、２３Ａｂは、図１、２において説明した場合と同様な構成を備えており、係止用のピン５０Ａがスリーブに形成されている凹溝２３Ａａ１および、２３Ａｂ１内に挿入されると接続胴６０側のスリット６１Ａａ、６１Ａｂ内に入り込み、その先端が折り曲げあるいは押し潰されると小径の軸２２Ａを囲繞して接続胴６０の外周面から突出しない状態とされる。
なお、図３、４において、符号２１Ｂは接続金具２０Ｂに設けられている駒部、符号２２Ｂは小径の軸、符号２３Ｂａ、２３Ｂｂは半円筒状のスリーブ、５０Ｂは係止用のピンをそれぞれ示している。
【００３５】
本実施例は以上のような構成であるから、その組み立て手順を説明すると次の通りである。
回転連結装置１００’は、接続胴６０に接続金具２０Ａおよび２０Ｂを装填することで組み立てられる。
組み立てに際しては、接続金具２０Ａおよび２０Ｂのいずれが先行しても良い。
【００３６】
接続金具２０Ａ（接続金具２０Ｂ）を接続胴６０に組み込む際には、半円筒状のスリーブ２３Ａａ、２３Ａｂ（２３Ｂａ、２３Ｂｂ）を小径の軸２２Ａ（２２Ｂ）に嵌め込んだ状態で接続胴６０の内部に駒部２１Ａ（２１Ｂ）を挿嵌する。
接続金具２０Ａ（接続金具２０Ｂ）に有する小径の軸２２Ａ（２２Ｂ）に嵌め込まれている半円筒状のスリーブ２３Ａａ、２３Ａｂ（２３Ｂａ、２３Ｂｂ）の凹溝２３Ａａ１、２３Ａｂ１（２３Ｂａ１、２３Ｂｂ１）と接続胴６０側のスリット６１Ａａ、６１Ａｂ（６１Ｂａ、６１Ｂｂ）との位置を合わせた状態で係止用のピン５０Ａ（５０Ｂ）を外部からスリットの一方に向けて挿入する。この状態は図４（Ｅ）に示す状態である。なお、図４（Ｅ）は接続金具２０Ａを対象として示したものであるが、接続金具２０Ｂを対象とする場合は図１、２に示した場合と同様である。
【００３７】
スリットの一方から挿入された係止用のピン５０Ａは、スリットの他方に先端を突出させると、図４（Ｅ）において二点鎖線で示す矢印のように、その先端を折り曲げあるいは押し潰すことで先端が接続胴６０のスリットから外部にはみ出すことなく小径の軸２２Ａを囲繞する状態で回転可能に格納される。
係止用のピン５０Ａ（５０Ｂ）は、スリット内に収められることにより、その側端がスリットの側部内面に衝止され、そして周方向端縁がスリットの長手方向両端内面に衝止されることが可能であるので、接続金具２０Ａ（２０Ｂ）が接続胴６０の軸方向および周方向での移動を規制されることになる。
【００３８】
以上のような実施例において、回転する接続金具を接続胴に装填する場合、図１、２に示した実施例では、係止用のピン５０の挿入および回転リング３２に対するピン３１の挿入のみで接続金具２０および鎖３０を回転支持ができると共に抜け止めが行え、図３、４に示した実施例では係止用のピン５０Ａ、５０Ｂの挿入のみで接続金具２０Ａ、２０Ｂの回転支持ができると共に抜け止めが行える。
【００３９】
従って、カシメ作業やリング部材の習性に抗した拡開作業などを必要としないので、作業労力の負担を軽減することができる。しかも、係止用のピンは挿入後先端を折り曲げあるいは押し潰す作業を要するが、接続金具の軸に対してではなく、半円筒状のスリーブに対して折り曲げあるいは押し潰しの際の負荷が作用する構成であるので、接続金具の回転部分への負荷を作用されることがない。これにより、回転部分への負荷による回転部分の変形を回避して接続金具が回転しにくくなるのを確実に防ぐことができる。
特に、係止用のピンを折り曲げあるいは押し潰す際にピンに作用する力は、その先端のみであるので、接続金具の回転軸を押し潰したり変形させることが殆どなく、回転部分の潰れや曲がりによって回転が円滑に行えなくなるのを未然に防止することが可能となる。
【００４０】
以上詳しく説明した実施例について、本発明の範囲内で種々の変形を施すことができる。例えば鎖３０の回転リング３２へのピン３１による結合は、唯一の鎖環があれば、他は鎖環に結合するワイヤ、ワイヤロープであっても良い。また鎖や、鎖環に結合するワイヤ、ワイヤロープ等を樹脂で被覆することもできる。
係止用のピン５０、５０Ａ、５０Ｂも厳格にＵ字状でなくても、コの字形であることを妨げず、一本のピンでなくても良い。
接続金具としてナス環等の着脱連結用の金具の例を示したが、自体が工具としての機能を備えるものであることを妨げない。
【００４１】
本発明に係る回転連結装置を利用して、キーホルダ，工具等を使用者の腰部に連結し、紛失や落下を防止することができ、実用性に加え装飾性も備えることができる。
【符号の説明】
【００４２】
１０、６０  接続胴
１０ａ、１０ｂ、６１Ａａ、６１Ａｂ、６１Ｂａ、６１Ｂｂ  スリット
１０ｃ  段部
１１、６０Ａ、６０Ｂ  接続金具受け部
１２  鎖受け部
１４  空洞部
２０、２０Ａ、２０Ｂ  接続金具
２１、２１Ａ、２１Ｂ  駒部
２２、２２Ａ、２２Ｂ  小径の軸部
２３ａ、２３ｂ、２３Ａａ、２３Ａｂ、２３Ｂａ、２３Ｂｂ  スリーブ
３０  鎖
３１  ピン
３２  回転リング
５０、５０Ａ、５０Ｂ  係止用のピン
１００、１００’  回転連結装置
【図１】
2011220353.tif 000003
【図２】
2011220353.tif 000004
【図３】
2011220353.tif 000005
【図４】
2011220353.tif 000006